(57)【要約】【課題】  電光表示式スコアボードにおいて小型化を図り、可搬式にするとともにコスト低減を図る。【解決手段】  電光表示式スコアボードにおいて、１つの得点表示欄（５ｂ）と合計得点表示欄（５ｃ）を有し、１つの得点表示欄に現イニングの得点を表示するとともに、前イニングまでの得点を順次表示するようにしたものである。【選択図】        図１
2005102823.tif 000002
【特許請求の範囲】
【請求項１】
野球等のスポーツ競技の電光表示式スコアボードにおいて、１つの得点表示欄と合計得点表示欄を有し、１つの得点表示欄に現イニングの得点を表示するとともに、前イニングまでの得点を順次表示することを特徴とする電光表示式スコアボード。
【請求項２】
野球等のスポーツ競技の電光表示式スコアボードにおいて、２つの得点表示欄と合計得点表示欄を有し、２つの得点表示欄のうち一方の得点表示欄に現イニングの得点を表示するとともに、他方の得点表示欄に前イニングまでの得点を順次表示することを特徴とする電光表示式スコアボード。
【請求項３】
請求項２記載のスコアボードにおいて、他方の得点表示欄を他の表示欄とは別態様で設け、前イニングまでの得点を常時または攻守交代の合間に順次表示することを特徴とする電光表示式スコアボード。
【請求項４】
請求項１乃至３いずれか記載の電光表示式スコアボードにおいて、１桁または２桁で対戦相手の名称を表示する欄を設け、表示文字をスクロールしてフルネームを表示することを特徴とする電光表示式スコアボード。
【発明の詳細な説明】
【技術分野】
【０００１】
本発明は野球やソフトボール等の電光表示式スコアボードに関する。
【背景技術】
【０００２】
野球等のスコアボードにおいて電光表示式にスコアを表示するものが提案されている（特許文献１、特許文献２）。
【特許文献１】特開平１１−３３１５８号公報
【特許文献２】特開２０００−４２１６０号公報
【発明の開示】
【発明が解決しようとする課題】
【０００３】
特許文献１や特許文献２等で提案されている従来のスコアボードは、野球の場合で言えば、基本的には、図６に示すように対戦するチーム名表示欄、９イニングの得点表示欄、合計得点欄を設けるものであるため、装置が大型化し、通常、移動させることは困難で固定装置に頼らざるを得ず、また高価であるという問題があった。
【課題を解決するための手段】
【０００４】
本発明は上記課題を解決しようとするもので、電光表示式スコアボードにおいて表示部と操作部間を無線、赤外線、光などによりワイヤレスにしてケーブルレス化し、小型化を図り、可搬式にするとともにコスト低減を図ることを目的とする。
そのために本発明は、野球等のスポーツ競技の電光表示式スコアボードにおいて、１つの得点表示欄と合計得点表示欄を有し、１つの得点表示欄に現イニングの得点を表示するとともに、前イニングまでの得点を順次表示することを特徴とする。
また、本発明は、野球等のスポーツ競技の電光表示式スコアボードにおいて、２つの得点表示欄と合計得点表示欄を有し、２つの得点表示欄のうち一方の得点表示欄に現イニングの得点を表示するとともに、他方の得点表示欄に前イニングまでの得点を順次表示することを特徴とする。
また、本発明は、他方の得点表示欄を他の表示欄とは別態様で設け、前イニングまでの得点を常時または攻守交代の合間に順次表示することを特徴とする。
また、本発明は、１桁または２桁で対戦相手の名称を表示する欄を設け、表示文字をスクロールしてフルネームを表示することを特徴とする。
【発明の効果】
【０００５】
本発明は電光表示式スコアボードにおいて点滅やスクロール表示等を利用することにより得点表示欄を少なくできるので、装置の小型化を図り、可搬式にすることができるとともに低コストのスコアボードを実現することができる。
【発明を実施するための最良の形態】
【０００６】
以下、本発明の実施の形態について、野球やソフトボールのスコアボードを例にとって説明する。
図１は本実施の形態の電光表示式スコアボードの概念図、図２はスコアボードの装置概念図である。
対戦チーム名、各イニングの得点、合計得点等のデータは、パソコン等からなる操作部１から送信装置２に送られ、それを無線式受信装置３１受信し、制御装置４に取り込まれてスコアボード５の表示部に表示される。もちろん、合計得点は制御装置４で計算して表示するようにしてもよい。スコアーボード５はＬＥＤ、液晶パネル、プラズマディスプレイ等の電光表示盤からなる表示部を有し、対戦チーム名の表示欄５ａ、各イニングの得点表示欄５ｂ、合計得点表示欄５ｃを有している。
【０００７】
表示欄５ａは１文字或いは２文字表示で、スクロール表示、或いは複数の表示素子（ドット）からなる表示部のドットを選択的に点滅することによりフルネームが表示される。表示欄５ｂはイニングと得点を表示する欄で、図では４イニングが表示されており、同様にスクロール表示等により前イニングまでの得点も表示される。表示欄５ｃは合計得点表示欄で、４イニングまでの合計得点が表示される。
【０００８】
図２の例で説明すると、「大分高校」と「東北高校」が対戦し、「大分高校」は「大」→「分」→「高」→「校」と文字をスクロールして順次表示し、「東北高校」は「東」→「北」→「高」→「校」と文字をスクロールして順次表示することによりフルネームを表示する。もちろん、２文字表示方式を用いて、「大分」→「高校」、或いは「東北」→「高校」のように順次表示してもよい。各イニングの得点表示欄を見ると、７イニングに「大分高校」が３得点し、合計では大分高校が「５得点」、東北高校が「２得点」である。そして、終了した１〜６イニングの得点も適宜、例えば所定時間毎、或いは攻守交代の合間等にスクロール等により順次表示する。なお、図２の装置において、○の点灯によりストライク数、ボール数、アウトカウント数が表示されるが、例えば、球審（審判）の持つカウンタに送信機を付加し、ワイヤレスで受信装置３にデータを送信して表示するようにする。
【０００９】
このようにスコアーボードが、基本的にはチーム名の表示欄、１つの得点表示欄、合計得点表示欄しか有していないため、大きさを従来のスコアーボードに比して１／３以下とすることが可能である。さらに表示するデータは無線式で受信することにより、従来のように操作部と表示部間のケーブルが不要となり、装置を一層小型化することができ、可搬式とするとともに低コスト化を図ることができる。
【００１０】
図３は本実施形態の他の例を示す図である。
この例では対戦チーム名の表示欄５ａ、各イニングの得点表示欄５ｂ、合計得点表示欄５ｃの他に終了したイニングの結果を示す表示欄５ｄを設けている。この表示欄５ｄを用いて終了した各イニングの結果を常時スクロール等により順次表示する。表示欄５ｄが終了したイニング結果を示す表示欄であることを示すために、例えば図示のように前回までの方向を示す矢印表示などをして他の表示欄と区別して認識できるようにする。
【００１１】
図４は本実施形態の他の例を示す図である。
この例も基本的には図３の場合と同じで、表示欄５ｅを設けて終了した各イニングの結果を常時スクロール等により順次表示するが、表示欄５ｅを他の表示欄とは別態様で設けて一見して終了したイニング結果を示す表示欄であることが分かるようにしている。ここでは表示欄５ｅを各表示欄の下側に設け、図示のように前回までの方向を示す矢印表示を先頭に設けて終了したイニング結果を示す表示欄であることが認識できるようにしている。
【００１２】
図５は本実施形態の他の例を示す図である。
この例では対戦チーム名の表示欄５ａ、各イニングの得点表示欄５ｂを順次表示する場合、対戦チーム名の文字データ、各イニングの得点のデータを層状に蓄積し、本のページやカードをめくるように表示する。このような表示形態により経時的表示の感覚がイメージし易くなる。
【００１３】
なお、本発明は上記の例に限定されるものではなく、いろいろな変形や付加が可能である。例えば、表示データの他に音声信号を送信して、スコアボードに併設したスピーカから出力させるようにしてもよく、その際に音声データと表示データを同期させて表示画面を変化させてもよい。音声はアナウンスだけでなく、音楽や効果音も含むようにすれば効果的である。また、スコアボード全体、または一部をキャラクタ表示やアニメーションなどの演出効果、学校紹介や広告などメッセージボードとしての活用、選手名の表示やヒットやエラーなどの表示を行うようにしてもよい。また、球速測定器に送信器を付加し、測定したデータをワイヤレスで受信装置３に送信して表示するようにしてもよい。また、スコアボードをプロジェクタでスクリーンに投影する方法で、外野側に設置したスクリーンに１台又は複数台の背面投影のプロジェクタで投影表示させるようにしてもよい。また、フルカラー、又はマルチカラーのドットマトリックスボードにして、大型スクリーンとして活用することも可能である。また、太陽電池や風力などの自然エネルギーを使い、又はそれらとバッテリを組み合わせることにより、ＡＣ電源のない所でも使用可能となる。
【産業上の利用可能性】
【００１４】
以上のように本発明によれば、得点表示欄を少なくできるので、装置の小型化を図り、可搬式にして低コストのスコアボードを実現することができ、産業上の利用価値が極めて大きい。
【図面の簡単な説明】
【００１５】
【図１】本実施の形態の電光表示式スコアボードの概念図である。
【図２】スコアボードの装置概念図である。
【図３】本実施形態の他の例を示す図である。
【図４】本実施形態の他の例を示す図である。
【図５】本実施形態の他の例を示す図である。
【図６】従来のスコアボードを説明する図である。
【符号の説明】
【００１６】
１…操作部、２…送信装置、３…受信装置、４…制御装置、５…スコアボード。
【図１】
2005102823.tif 000003
【図２】
2005102823.tif 000004
【図３】
2005102823.tif 000005
【図４】
2005102823.tif 000006
【図５】
2005102823.tif 000007
【図６】
2005102823.tif 000008